(57)【要約】【課題】給気風路及び排気風路を構成する部材を装置本体よりも小さい点検口から取り出すことができる熱交換換気装置を得ること。【解決手段】熱交換換気装置は、第１の風路３１と第２の風路３２と給気用送風機７と排気用送風機８とを備える送風機ユニット２と、第３の風路３３と第４の風路３４と熱交換器９とを備える熱交換器ユニット１とを有し、第１の風路３１と第３の風路３３とが連通し、かつ第２の風路３２と第４の風路３４とが連通するように連結された送風機ユニット２及び熱交換器ユニット１とによって構成される装置本体内に、外気流入口２１から外気排出口２６に至る給気風路及び室内空気流入口２７から室内空気排出口２４に至る排気風路が構成され、熱交換器９は、給気用送風機７が給気風路に発生させる給気流と、排気用送風機８が排気風路に発生させる排気流との間で熱交換を行う。【選択図】図２
2020134053.tif 000002
【特許請求の範囲】
【請求項１】
第１の外気流入口と第１の外気排出口とを繋ぐ第１の風路と、第１の室内空気流入口と第１の室内空気排出口とを繋ぐ第２の風路と、前記第１の風路に設置された給気用送風機と、前記第２の風路に設置された排気用送風機とを備える送風機ユニットと、
第２の外気流入口と第２の外気排出口とを繋ぐ第３の風路と、第２の室内空気流入口と第２の室内空気排出口とを繋ぐ第４の風路と、前記第３の風路及び前記第４の風路に跨がって設置された熱交換器とを備える熱交換器ユニットとを有し、
前記第１の風路と前記第３の風路とが連通し、かつ前記第２の風路と前記第４の風路とが連通するように連結された前記送風機ユニット及び前記熱交換器ユニットとによって構成される装置本体内に、前記第１の外気流入口から前記第２の外気排出口に至る給気風路及び前記第２の室内空気流入口から前記第１の室内空気排出口に至る排気風路が構成され、
前記熱交換器は、前記給気用送風機が前記給気風路に発生させる給気流と、前記排気用送風機が前記排気風路に発生させる排気流との間で熱交換を行うことを特徴とする熱交換換気装置。
【請求項２】
前記送風機ユニット及び前記熱交換器ユニットを着脱可能に支持するフレームを有することを特徴とする請求項１に記載の熱交換換気装置。
【請求項３】
前記フレームは、前記第１の外気流入口に連通する室外吸込口と、前記第２の外気排出口に連通する室内吹出口と、前記第２の室内空気流入口に連通する室内吸込口と、前記第１の室内空気排出口に連通する室外吹出口とを備えることを特徴とする請求項２に記載の熱交換換気装置。
【請求項４】
前記熱交換器ユニットは、前記第２の外気排出口に連通する室内吹出口及び前記第２の室内空気流入口に連通する室内吸込口の少なくとも一方が設けられたパネルを備え、
前記フレームは、前記室内吹出口及び前記室内吸込口のうち、前記パネルに設けられていないものと、前記第１の外気流入口に連通する室外吸込口と、前記第２の外気排出口に連通する室内吹出口とを備えることを特徴とする請求項２に記載の熱交換換気装置。
【請求項５】
前記フレームは、前記送風機ユニット及び前記熱交換器ユニットをスライド可能に支持する案内部を備えることを特徴とする請求項２から４のいずれか１項に記載の熱交換換気装置。
【請求項６】
前記送風機ユニットは、前記給気用送風機を有する給気側送風機ユニットと前記排気用送風機を有する排気側送風機ユニットに分かれており、前記熱交換器ユニットは、前記給気側送風機ユニットと前記排気側送風機ユニットの間に設置されていることを特徴とする請求項１から５のいずれか１項に記載の熱交換換気装置。
【発明の詳細な説明】
【技術分野】
【０００１】
本発明は、室外から室内への給気と室内から室外への排気との間で熱交換させながら換気を行う熱交換換気装置に関する。
【背景技術】
【０００２】
特許文献１には、メンテナンス時に、給気風路及び排気風路を構成するケーシングの開口から、フィルタ、熱交換器及びモータをケーシングの外に取り出すことができる熱交換換気装置が開示されている。特許文献１に開示される熱交換換気装置の装置本体の大きさはケーシングの大きさである。
【先行技術文献】
【特許文献】
【０００３】
【特許文献１】特許第６１５０７４２号公報
【発明の概要】
【発明が解決しようとする課題】
【０００４】
特許文献１に開示される熱交換換気装置は、給気風路及び排気風路を構成するケーシングを交換可能とするためには、天井、床又は壁といった設置面に装置本体よりも大きい点検口を設ける必要があった。
【０００５】
本発明は、上記に鑑みてなされたものであって、給気風路及び排気風路を構成する部材を装置本体よりも小さい点検口から取り出すことができる熱交換換気装置を得ることを目的とする。
【課題を解決するための手段】
【０００６】
上述した課題を解決し、目的を達成するために、本発明は第１の外気流入口と第１の外気排出口とを繋ぐ第１の風路と、第１の室内空気流入口と第１の室内空気排出口とを繋ぐ第２の風路と、第１の風路に設置された給気用送風機と、第２の風路に設置された排気用送風機とを備える送風機ユニットと、第２の外気流入口と第２の外気排出口とを繋ぐ第３の風路と、第２の室内空気流入口と第２の室内空気排出口とを繋ぐ第４の風路と、第３の風路及び第４の風路に跨がって設置された熱交換器とを備える熱交換器ユニットとを有する。第１の風路と第３の風路とが連通し、かつ第２の風路と第４の風路とが連通するように連結された送風機ユニット及び熱交換器ユニットとによって構成される装置本体内に、第１の外気流入口から第２の外気排出口に至る給気風路及び第２の室内空気流入口から第１の室内空気排出口に至る排気風路が構成される。熱交換器は、給気用送風機が給気風路に発生させる給気流と、排気用送風機が排気風路に発生させる排気流との間で熱交換を行う。
【発明の効果】
【０００７】
本発明によれば、給気風路及び排気風路を構成する部材を装置本体よりも小さい点検口から取り出すことができる熱交換換気装置を得られるという効果を奏する。
【図面の簡単な説明】
【０００８】
【図１】本発明の実施の形態１に係る熱交換換気装置の斜視図
【図２】実施の形態１に係る熱交換換気装置の上面図
【図３】実施の形態１に係る熱交換換気装置の熱交換器ユニットを本体から取り出した状態での分解斜視図
【図４】実施の形態１に係る熱交換換気装置の送風機ユニットを熱交換器ユニットの設置位置に移動した状態での分解斜視図
【図５】実施の形態１に係る熱交換換気装置の送風機ユニットを本体から取り出した状態での分解斜視図
【図６】実施の形態１に係る熱交換換気装置の側面図
【図７】実施の形態１に係る熱交換換気装置の断面図
【図８】実施の形態１に係る熱交換換気装置のフレームが送風機ユニットを支持する部分の詳細図
【図９】実施の形態１に係る熱交換換気装置の変形例を示す図
【発明を実施するための形態】
【０００９】
以下に、本発明の実施の形態に係る熱交換換気装置を図面に基づいて詳細に説明する。なお、この実施の形態によりこの発明が限定されるものではない。
【００１０】
実施の形態１．
図１は、本発明の実施の形態１に係る熱交換換気装置の斜視図である。実施の形態１に係る熱交換換気装置１１は、熱交換器ユニット１、送風機ユニット２及びフレーム１２を備える。熱交換器ユニット１及び送風機ユニット２は、フレーム１２に取り付けられている。実施の形態１においては、熱交換器ユニット１及び送風機ユニット２を連結することにより熱交換換気装置１１の装置本体が形成される。点検口１０は、天井面、壁面又は床面に形成された開口に嵌め込まれる枠状の部材である。図示を省略しているが、点検口１０は、開閉可能又は着脱可能な蓋を備えており、天井面、壁面又は床面の開口を塞ぐことができる。点検口１０が設置される天井面、壁面又は床面の開口は、装置本体よりも小さい。
【００１１】
図２は、実施の形態１に係る熱交換換気装置の上面図である。図２では、天面の図示を省略して熱交換換気装置１１の内部を可視化している。フレーム１２は、室外空気を吸い込む室外吸込口５と、室外空気を吹出す室内吹出口１６と、室内空気を吸い込む室内吸込口６と、室内空気を排出する室外吹出口１５とを備える。
【００１２】
送風機ユニット２は、外気が流入する第１の外気流入口である外気流入口２１と、外気を排出する第１の外気排出口である外気排出口２２と、室内空気が流入する第１の室内空気流入口である室内空気流入口２３と、室内空気を排出する第１の室内空気排出口である室内空気排出口２４とを備える。送風機ユニット２は、外気流入口２１と外気排出口２２とを繋ぐ第１の風路３１と、室内空気流入口２３と室内空気排出口２４とを繋ぐ第２の風路３２とを備えている。
【００１３】
熱交換器ユニット１は、外気が流入する第２の外気流入口である外気流入口２５と、外気を排出する第２の外気排出口である外気排出口２６と、室内空気が流入する第２の室内空気流入口である室内空気流入口２７と、室内空気を排出する第２の室内空気排出口である室内空気排出口２８とを備える。熱交換器ユニット１は、外気流入口２５と外気排出口２６とを繋ぐ第３の風路３３と、室内空気流入口２７と室内空気排出口２８とを繋ぐ第４の風路３４とを備えている。熱交換器ユニット１は、第３の風路３３及び第４の風路３４に跨がって設置された熱交換器９を備える。
【００１４】
フレーム１２に熱交換器ユニット１及び送風機ユニット２を取り付けた状態において、熱交換器ユニット１の外気流入口２５と送風機ユニット２の外気排出口２２とが連通し、熱交換器ユニット１の室内空気排出口２８と送風機ユニット２の室内空気流入口２３とが連通する。また、熱交換器ユニット１の室内空気流入口２７と室内吸込口６とが連通し、熱交換器ユニット１の外気排出口２６と室内吹出口１６とが連通する。また、送風機ユニット２の室内空気排出口２４と室外吹出口１５とが連通し、送風機ユニット２の外気流入口２１と室外吸込口５とが連通する。したがって、熱交換換気装置１１において、フレーム１２に取り付けられた熱交換器ユニット１及び送風機ユニット２は、第１の風路３１と第３の風路３３とが連通することにより、室外吸込口５から室内吹出口１６に至る給気風路を装置本体内に形成する。また、フレーム１２に取り付けられた熱交換器ユニット１及び送風機ユニット２は、第２の風路３２と第４の風路３４とが連通することにより、室内空気流入口２７から室内空気排出口２４に至る排気風路を装置本体内に形成する。
【００１５】
熱交換換気装置１１は、室外吸込口５を通り給気用送風機７によって熱交換換気装置１１内に吸い込んだ外気である給気と、室内吸込口６を通り排気用送風機８によって熱交換換気装置１１内に吸い込んだ室内空気である排気との間で熱交換器９により熱交換を行いながら換気する。
【００１６】
送風機ユニット２は、第１の風路３１に設置された給気用送風機７及び第２の風路３２に設置された排気用送風機８を備えている。熱交換器ユニット１は、熱交換器９が内接して構成されている。熱交換換気装置１１は、送風機ユニット２と熱交換器ユニット１とが横並びに配置されており、天井裏、床下空間又は壁内に設置される。熱交換換気装置１１の大きさは、点検口１０の枠の内側の最大寸法よりも大きい。
【００１７】
図３は、実施の形態１に係る熱交換換気装置の熱交換器ユニットを本体から取り出した状態での分解斜視図である。ここで、熱交換換気装置１１は、天井裏又は建屋の階間に取り付けられた状態であるとする。熱交換器ユニット１は、フレーム１２に取付けて設置される。フレーム１２から熱交換器ユニット１を取り外すことで、熱交換器ユニット１を丸ごと、点検口１０を通じて天井裏又は階間の設置スペースから取り出すことが可能である。また、熱交換器ユニット１を丸ごと、点検口１０を通じて天井裏又は階間の設置スペースに挿入することが可能である。
【００１８】
図４は、実施の形態１に係る熱交換換気装置の送風機ユニットを熱交換器ユニットの設置位置に移動した状態での分解斜視図である。図５は、実施の形態１に係る熱交換換気装置の送風機ユニットを本体から取り出した状態での分解斜視図である。フレーム１２に取り付けられている送風機ユニット２を、熱交換器ユニット１の設置位置までスライドさせる。送風機ユニット２は、熱交換器ユニット１の設置位置まで移動させた後でフレーム１２から取り外すことで、点検口１０を通じて天井裏などの設置スペースから送風機ユニット２を丸ごと取り出すことが可能である。また、点検口１０を通じて天井裏などの設置スペースに送風機ユニット２を丸ごと挿入することが可能である。
【００１９】
フレーム１２は、送風機ユニット２及び熱交換器ユニット１を点検口１０を通じて設置スペースから取り出した後、点検口１０を通じて設置スペースから取り出すことが可能である。また、フレーム１２は、点検口１０を通じて送風機ユニット２及び熱交換器ユニット１を設置スペースに挿入する前に、点検口１０を通じて天井裏などの設置スペースにフレーム１２を丸ごと挿入することも可能である。
【００２０】
送風機ユニット２、熱交換器ユニット１及びフレーム１２をそれぞれ、点検口１０を通じて天井裏などの設置スペースから取り出したり、点検口１０を通じて天井裏などの設置スペースに挿入したりすることが可能であるため、天井、床又は壁を取り壊さず熱交換換気装置１１を交換することが可能となる。
【００２１】
図６は、実施の形態１に係る熱交換換気装置の側面図である。図７は、実施の形態１に係る熱交換換気装置の断面図である。図７は、図６中のVII-VII線における断面を示している。図７に示すように、送風機ユニット２はフレーム１２によって支えられている。
【００２２】
図８は、実施の形態１に係る熱交換換気装置のフレームが送風機ユニットを支持する部分の詳細図である。図８に示すように、送風機ユニット２は、Ｌ字形状の取付フック１４が設けられている。また、フレーム１２には、取付フック１４を係合可能な引っ掛け形状部１３が設けられている。取付フック１４を引っ掛け形状部１３に係合させることにより、フレーム１２に送風機ユニット２を引っ掛けることができる。
【００２３】
熱交換器ユニット１も送風機ユニット２と同様に、取付フック１４を備えており、フレーム１２に引っ掛けることができる。
【００２４】
フレーム１２に引っ掛けられた送風機ユニット２及び熱交換器ユニット１は、引っ掛け形状部１３に沿ってスライドさせて移動することができる。すなわち、引っ掛け形状部１３は、熱交換器ユニット１及び送風機ユニット２をスライド可能に支持する案内部である。
【００２５】
上記の説明においては、点検口１０の正面には熱交換器ユニット１が配置されており、送風機ユニット２を移動させて取り出す構成を説明したが、点検口１０の正面に送風機ユニット２が配置されてもよい。
【００２６】
また、熱交換器ユニット１及び送風機ユニット２の取り付け方法及び取り付け位置は、例示した方法及び位置に限定されない。
【００２７】
また、送風機ユニット２を給気側送風機ユニットと排気側送風機ユニットに分け、熱交換器ユニット１を給気側送風機ユニットと排気側送風機ユニットの間に設置してもよい。送風機ユニット２を給気側送風機ユニットと排気側送風機ユニットとに分けることにより、給気側送風機ユニット及び排気側送風機ユニットは、送風機ユニット２よりも小型化及び軽量化されるため、メンテナンス作業の作業性が向上する。
【００２８】
熱交換器ユニット１は、室外空気を吹出す室内吹出口及び室内空気を吸い込む室内吸込口の少なくとも一方が設けられたパネルを備え、フレーム１２は、室内吹出口及び室内吸込口のうち、パネルに設けられていないものを備えてもよい。図９は、実施の形態１に係る熱交換換気装置の変形例を示す図である。熱交換器ユニット１は、室内吹出口１６が設けられたパネル１７を備えている。フレーム１２は、室内吹出口１６及び室内吸込口６のうち、パネル１７に設けられていない室内吸込口６を備えている。実施の形態１の変形例に係る熱交換換気装置１１は、熱交換後の室外空気を通すダクトが不要であるため、圧力損失を低減することができる。
【００２９】
点検口１０は、サイズが大きくなると汎用品を適用できないため、高価になってしまうとともに、設置する部屋の美観を損ねる原因となりうる。このため、点検口１０は、熱交換換気装置１１の装置本体のサイズよりも小さいものを用いることが多い。また、パネル１７についても同様に、設置する部屋の美観を重視する場合には、サイズが小さいことが好まれる。
【００３０】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３１】
１  熱交換器ユニット、２  送風機ユニット、５  室外吸込口、６  室内吸込口、７  給気用送風機、８  排気用送風機、９  熱交換器、１０  点検口、１１  熱交換換気装置、１２  フレーム、１３  引っ掛け形状部、１４  取付フック、１５  室外吹出口、１６  室内吹出口、１７  パネル、２１，２５  外気流入口、２２，２６  外気排出口、２３，２７  室内空気流入口、２４，２８  室内空気排出口、３１  第１の風路、３２  第２の風路、３３  第３の風路、３４  第４の風路。
【図１】
2020134053.tif 000003
【図２】
2020134053.tif 000004
【図３】
2020134053.tif 000005
【図４】
2020134053.tif 000006
【図５】
2020134053.tif 000007
【図６】
2020134053.tif 000008
【図７】
2020134053.tif 000009
【図８】
2020134053.tif 000010
【図９】
2020134053.tif 000011